(57)【特許請求の範囲】
【請求項１】
ディスクの周縁部を支持するディスク支持部材が配される互いに接近及び離反可能とされた一対のアームと、
上記ディスクの周縁部に当接するディスク当接部材が配され、上記一対のアームより装置後方側でシャーシに回動支持されるディスク排出アームと、
上記ディスク排出アームの回動によって作動する検出スイッチと、
上記一対のアーム又は上記ディスク排出アームの動作によって上記ディスクの移動を行うディスク移動機構と、
ターンテーブルを昇降動作させて上記ディスクのチャッキング及びその解除を行うエレベータ部材と、
上記検出スイッチの作動により動作する操作モータと、
上記操作モータの動作によって回転駆動される操作カムギアと、を備え、
上記ディスクの挿入からチャッキングまでのローディング時には、上記一対のアームと上記ディスク排出アームとによって上記ディスクが支持されて移動されるとともに、上記ディスク排出アームの回動により上記検出スイッチが作動して上記操作カムギア及び上記エレベータ部材の動作を介して上記チャッキング動作が開始され、
上記ディスクのチャッキング解除から排出までのアンローディング時には、上記操作カムギア及び上記エレベータ部材の動作を介してチャッキングが解除された後、上記ディスク排出アームと上記一対のアームとによって上記ディスクが支持されて装置本体から排出される
ディスク装置。
【請求項２】
上記ディスクのアンローディング時には、上記ディスクの中心孔が上記装置本体から露出する位置まで、上記ディスクが排出される
請求項１に記載のディスク装置。
【請求項３】
上記一対のアームを互いに接近する方向へ付勢する付勢手段を有し、
上記ディスクのローディング時に、上記付勢部材の付勢力に抗して、上記ディスクが挿入される
請求項１に記載のディスク装置。
【発明の詳細な説明】
【０００１】
【発明の属する技術分野】
本発明はディスク状記録媒体、例えば光ディスクを再生するディスクプレーヤ装置等のディスク装置に関する。
【０００２】
【従来の技術】
従来、情報信号が記録され、この情報信号を光学ピックアップ装置により読み出すように構成された光ディスクが提案されている。この光ディスクは、ポリカーボネイトの如き合成樹脂材料により円盤状に形成されたディスク基板と、このディスク基板の一主面部に形成された信号記録面部とを有して構成されている。この信号記録面部には、アルミニウムの如き金属材料よりなる薄膜が、反射層として被着形成されている。
【０００３】
このような光ディスクは、上記光学ピックアップ装置を備えたディスクプレーヤ装置に装着されることにより、該光学ピックアップ装置による情報信号の読み出しを行われる。
【０００４】
上記ディスクプレーヤ装置は、上記光ディスクを上記光学ピックアップ装置に対向させた状態に保持して回転操作する回転操作機構を有している。すなわち、この回転操作機構及び上記光学ピックアップ装置は、上記光ディスクが装着されるディスク装着部を構成する。
【０００５】
そして、上記ディスクプレーヤ装置は、上記光ディスクを上記ディスク装着部に装着させるためのディスクローディング機構を有している。このディスクローディング機構は、上記ディスクプレーヤ装置の外方側よりこのディスクプレーヤ装置を構成する外筐体に対して挿入操作された光ディスクを搬送して上記ディスク装着部に装着させるものである。
【０００６】
上記ディスクローディング機構としては、いわゆるスロットイン方式のものが提案されている。このスロットイン方式のディスクローディング機構は、上記外筐体に形成されたスロットより挿入操作された光ディスクを、この光ディスクの主面部に沿う方向に上記ディスク装着部まで搬送して、このディスク装着部に装着部に対する位置決めを行うための位置決め部材を設けるとともに、この光ディスクの装着後には、該位置決め部材を該光ディスクより離間させる機構を設ける必要がある。
【０００７】
このような位置決め部材及びこの位置決め部材を移動操作する機構を設けることにより、このディスクローディング機構は、装置構成が複雑化されている。
【０００８】
また、従来、ディスクを外部からディスク記録再生装置内に搬送する手段としては、トレーによるものとローラーによるものの２つに大別できる。トレー方式とは、トレーというディスクを水平に載置する為の部材が装置外部に突出する様になっており、ディスクがトレーに載置され装置内部に引込まれるとディスクがトレーによりディスクチャッキング位置まで搬送され、チャッキングされる機構をもつ。この方式は比較的簡単な構造となり安価に実現できる為現在の主流であるが、装置をたて置き、即ちディスクが垂直となるような姿勢ではトレーからディスクが脱落してしまい、動作させることができない。
【０００９】
また、トレーという部材が装置外に突出する為、使用者はトレーの突出する空間を常に確保しておかなくてはならない。これらは特に装置がコンピュータに搭載される場合において、使用者の不満となっていた。一方ローラー方式はディスクを主面部両側より一対のローラーで挟持し、ローラーを回転させることにより装置前面スロットより挿入されたディスクを装置内部に引込む機構を持つ。当機構はローラーの回転とチャッキング動作各々に動力が必要となり、またディスクの位置検出や各動作の開始／停止の為に複数の非接触センサが必要である為、装置が高価となってしまう。またローラー部の挟持摩擦によってディスクを搬送する為、スリップ等による動作不良やディスク信号面に対する傷等の悪影響の可能性など耐久性・信頼性上の問題点が指摘されており、ローラー等の部品に対しては厳しい品質管理が要求されていた。
【００１０】
そこで、本発明は、上述の実情に鑑みて提案されるものであって、装置構成の簡素化、小型化、軽量化が可能となされ、消費電力の増加が抑えられ、特に、コンピュータに搭載する等、屋内用として構成されるディスクプレーヤ装置に適用して好適なディスク記録再生装置を提供することを目的とする。
【００１１】
【課題を解決するための手段】
上述の課題を解決し上記目的を達成するため、本発明によるディスク装置は、ディスクの周縁部を支持するディスク支持部材が配される互いに接近及び離反可能とされた一対のアームと、ディスクの周縁部に当接するディスク当接部材が配され、一対のアームより装置後方側でシャーシに回動支持されるディスク排出アームと、そのディスク排出アームの回動によって作動する検出スイッチと、一対のアーム又はディスク排出アームの動作によってディスクの移動を行うディスク移動機構と、ターンテーブルを昇降動作させてディスクのチャッキング及びその解除を行うエレベータ部材と、検出スイッチの作動により動作する操作モータと、その操作モータの動作によって回転駆動される操作カムギアと、を備え、ディスクの挿入からチャッキングまでのローディング時には、一対のアームとディスク排出アームとによってディスクが支持されて移動されるとともに、ディスク排出アームの回動により検出スイッチが作動して操作カムギア及びエレベータ部材の動作を介してチャッキング動作が開始され、ディスクのチャッキング解除から排出までのアンローディング時には、操作カムギア及びエレベータ部材の動作を介してチャッキングが解除された後、ディスク排出アームと一対のアームとによってディスクが支持されて装置本体から排出されるように構成したものである。
【００１２】
このように構成される本発明によるディスク装置によれば、ディスクローディングトレーを用いない為装置の姿勢を限定することなく、またトレーの突出する空間を常に確保するような気遣いも不要となるので特にコンピュータに搭載され使用される場合においても使用者に不便を感じさせることが無い。また、ローラーを用いない為、厳しい部品品質管理も不要となり耐久性・信頼性が向上する。
そして本発明のディスク装置は、ディスクのローディング時には、アームとディスク排出アームとによってディスクが支持されて、移動されるとともに、ディスク排出アームの回動によって、ディスクのチャッキング動作を開始させる検出スイッチが作動し、ディスクのチャッキング動作が開始されて、ディスクのローディングが行われ、ディスクのアンローディング時には、ディスク排出アームとアームとによってディスクが支持されて、ディスクが装置本体から排出されることによりディスクのアンローディングが行われる構成としたことで、安価で簡潔な構成で確実なディスクの挿入・排出動作を行うディスク装置を提供することができる。
【００１３】
【発明の実施の形態】
以下、本発明によるディスク記録再生装置の実施の形態例を説明するに、本発明を光ディスクに記録された情報信号を再生するディスクプレーヤ装置に適用した例について以下の順序により説明する。
【００１４】
〔１〕光ディスクの構成（図１）
〔２〕ディスクプレーヤ装置の外観構成（図１）
〔３〕ディスクプレーヤ装置の内部構成
（３−１）ディスク駆動、読取り機構（図２）
（３−２）ディスクローディング機構（図３）
（３−３）ディスク挿入スロット閉塞機構（図４）
〔４〕ディスクプレーヤ装置の動作
（４−１）光ディスクのローディング初期状態（図１０）
（４−２）光ディスクのローディング操作（図１１〜図１６、図２２〜図２５）
（４−３）光ディスクのチャッキング（図８、図２６）
（４−４）光ディスクのイジェクト操作（図１７〜図２１）
【００１５】
〔１〕光ディスクの構成（図１）
光ディスクＤは、ポリカーボネートの如き合成樹脂材料より、直径が例えば１２０ｍｍ程度の円盤状に形成されたディスク基板を有し、このディスク基板の中央部には、直径が例えば１５ｍｍ程度のチャッキング孔ｄが穿設されている。
【００１６】
このディスク基板の一方の面である主面部は、信号記録面となされており、このディスク基板が射出成形手段により成形されるときに、微細な凹凸、すなわち、ピットが形成される。このピットは、この光ディスクに記録されるディジタル信号化された情報信号に対応したものとなっている。この信号記録面上には、アルミニウムの如き金属材料よりなる反射層が被着形成されている。
【００１７】
この光ディスクは、光学ピックアップ装置を用いて、他方の主面部である信号読取り面側より、ディスク基板を透して信号記録面に集光させた光束を照射し、また、この光束の信号記録面よりの反射光を検出することにより、情報信号の読取りが行えるように構成されている。
【００１８】
〔２〕ディスクプレーヤ装置の外観構成（図１）
本例のディスクプレーヤ装置は光ディスクＤのスロットイン方式であって、装置外観は、図１に示すように、後述するディスク駆動、読取り機構及びディスクローディング機構を内蔵できる大きさで前面側が開放された外筐体１と、この外筐体１の前面側開放部に嵌着されるフロントパネル２とから構成されている。
【００１９】
この外筐体は、上面部に対して両側面部及び後面部を一体に形成した覆板部と底面板部とから形成され、フロントパネル２にはディスク挿入スロット３が水平方向に設けられており、このディスク挿入スロット３は、横幅寸法が光ディスクＤの直径寸法よりやや大で、上下間隔を両側端部から中央方向に漸次大にした形状、例えば、上面側３ａは上方へ、また、下面側３ｂは下方側へ円弧形状に形成され、光ディスクＤを挿入するときに内面側にディスク周縁部のみが摺接し、ディスク信号記録面は摺接せず、損傷を防止するように考慮している。また、このフロントパネル２には、イジェクト操作する操作釦４と、停電時等にイジェクト操作部材を操作するドライバー等の工具を挿入する挿入孔５が設けられている。
【００２０】
なお、外筐体１は板金より形成され、フロントパネル２は合成樹脂材料により成形されるが、外筐体１を合成樹脂材料により成形してもよく、またフロントパネル２を板金により形成してもよい。
【００２１】
〔３〕ディスクプレーヤ装置の内部構成
（３−１）ディスク駆動、読取り機構（図２）
そして、このディスクプレーヤ装置は、図２に示すように構成されるディスク駆動、読取り機構１１が備えられている。このディスク駆動、読取り機構１１のベースシャーシ１２は、ポリアセタール等の機械的強度がエンジニアリングプラスチックにより、ほぼ中央部が開放された四辺形枠状に成形されている。
【００２２】
このベースシャーシ１２の開放部、すなわち、開口部１２ａにベースシャーシ１２と同材料により成形されるサブシャーシ１３が昇降可能に嵌合されている。
【００２３】
このサブシャーシ１３には、金属板により形成されて光学ピックアップ装置１４とターンテーブル１５が搭載されたメカシャーシ１６が、振動の伝達を防止するダンピング部材であるインシュレータ１７を介して取付けられている。
【００２４】
ターンテーブル１５はスピンドルモータ１８の駆動軸の先端側に取付けられてメカシャーシ１６の前部側に位置されている。一方、光学ピックアップ装置１４はターンテーブル１５の後方側において、メカシャーシ１６に配設された左右一対のガイド軸１９ａ，１９ｂに沿って前後方向、すなわち、ターンテーブル１５に対して接離方向に移動される支持体２０に取付けられ、この支持体２０の移動はメカシャーシ１６に搭載されている移動用モータ２１の駆動により行われる。
【００２５】
このように、光学ピックアップ装置１４とターンテーブル１５が搭載されたメカシャーシ１６を取付けたサブシャーシ１３は、前後面には突片１３ａ，１３ｂが突設されて上下方向のガイド孔１３ａ1 ，１３ｂ1 が穿設されており、また、両側面には前後方向に所定間隔でボス１３ｃ1 ，１３ｃ2 及び１３ｄ1 ，１３ｄ2 が横方向に突設されている。
【００２６】
一方、ベースシャーシ１２には開口部１２ａの前後部に、サブシャーシ１３の突片１３ａ，１３ｂに対応して上下方向の凹部１２ｂ，１２ｃを形成して、この凹部１２ｂ，１２ｃの下面側から上方へガイドボス１２ｂ1 ，１２ｃ1 を突設してある。また、このベースシャーシ１２の開口部１２ａの両側部には、エレベータ部材２２，２３が前後方向に平行に摺動可能に配設されている。このエレベータ部材２２，２３は横断面が略逆Ｌ字状で垂直辺部２２ａ，２３ａはそれぞれ開口部１２ａの両側部の内面側に対応し、この垂直辺部２２ａと２３ａには、前後方向に前述したサブシャーシ１３の側面ボス１３ｃ1 ，１３ｃ2 と１３ｄ1 ，１３ｄ2 の間隔とほぼ等しい間隔で傾斜ガイド孔２２ａ1 ，２２ａ2 と２３ａ1 ，２３ａ2 を互いに逆方向に傾斜、すなわち、一方のエレベータ部材２２においては、傾斜ガイド孔２２ａ1 ，２２ａ2 は後方へ低く傾斜し、他方のエレベータ部材２３においては、傾斜ガイド孔２３ａ1 ，２３ａ2 は前方へ低く傾斜して形成されている。また、エレベータ部材２２と２３の水平辺部２２ｂと２３ｂには、前後部に前後方向に長い直線ガイド孔２２ｂ1 ，２２ｂ2 と２３ｂ1 ，２３ｂ3 が形成されてベースシャーシ１２の上面側に突設された係合突子１２ｄ1 ，１２ｄ2 と１２ｅ1 ，１２ｅ2 に係合されて、これによりエレベータ部材２２と２３はベースシャーシ１２に対して前後方向に平行に摺動可能に支持されている。
【００２７】
このエレベータ部材２２と２３は、前端部上面にピン２２ｃと２３ｃが突設され、このピン２２ｅと２３ｅをベースシャーシ１２の上面前部に、中央下面側に突設した軸２４ａにおいて回転可能に枢支されたエレベータアーム２４の両端に係合することにより、このエレベータアーム２４を介して連結されたこのエレベータアーム２４を介して連動、すなわち、互いに逆方向に摺動するように構成されている。
【００２８】
また、一方のエレベータ部材２２の上面側、すなわち、水平辺部２２ｂの後端部には、係合ピン２２ｄが突設され、中央部の後方寄りには、前方へ低く傾斜する支持突部２２ｅが突設されている。なお、この支持突部２２ｅは後述するように省略してもよい。また、エレベータ部材２２，２３は、図示の例においては、垂直辺部２２ａ，２３ａは水平辺部２２ｂ，２３ｂの上面側に突出した形状に形成されているが、水平辺部２２ｂ，２３ｂの上面側には全体にわたって偏平状、すなわち、垂直辺部２２ａ，２３ａと水平辺部２２ｂ，２３ｂが直角に接合された形状に形成してもよい。
【００２９】
このように、ベースシャーシ１２に形成され、エレベータ部材２２，２３が配設された開口部１２ａに前述したメカシャーシ１６を取付けたサブシャーシ１３を、前後面の突片１３ａ，１３ｂに穿設されたガイド孔１３ａ1 ，１３ｂ1 をベースシャーシ１２側の凹部１２ｂ，１２ｃに突設されたガイドボス１２ｂ1 ，１２ｃ1 に嵌挿すると共に、両側面のボス１３ｃ1 ，１３ｃ2 と１３ｄ1 ，１３ｄ2 をエレベータ部材２２と２３の傾斜ガイド孔２２ａ1 ，２２ａ2 と２３ａ1 ，２３ａ2 に嵌挿係合させて嵌合する。
【００３０】
この状態でエレベータ部材２２，２３をベースシャーシ１２に対して前後方向に摺動することにより、サブシャーシ１２はボス１３ｃ1 ，１３ｃ2 と１３ｄ1 ，１３ｄ2 に傾斜ガイド孔２２ａ1 ，２２ａ2 と２３ａ1 ，２３ａ2 に沿って押上げ、押下げ力が作用し、昇降動作される。
【００３１】
このエレベータ部材２２，２３の摺動動作はベースシャーシ１２の後部に備えた操作駆動機構２５により操作される。この操作駆動機構２５は、一方のエレベータ部材２２の後端部に対応して軸支される操作カムギア２６と操作モータ２７とこのモータ軸に軸着されたウォーム２８とこのウォーム２８に噛み合うウォームホイール２９とこのウォームホイール２９の回転を操作カムギア２６に伝達する中間ギア３０とから構成されている。
【００３２】
この操作駆動機構２５の操作カムギア２６は、下面側に前述した一方のエレベータ部材２２の係合ピン２２ｄが係合されるカム溝２６ａが形成されて、この操作カムギア２６の正逆回転により一方のエレベータ部材２２は前後方向に摺動動作される。この一方のエレベータ部材２２の摺動動作はエレベータアーム２４を介して他方のエレベータ部材２３に伝達されるが、エレベータアーム２４は中央の軸２４ａによる枢着部を中心に回転することにより他方のエレベータ部材２３は一方のエレベータ部材２２と相反する方向に摺動される。このエレベータ部材２２と２３の互いに相反する方向の摺動により、サブシャーシ１３は前述したように昇降動作される。
【００３３】
また、操作カムギア２６の下面には、ベースシャーシ１２の後部上面にカムギア２６の下側に位置して備えられて操作モータ２７の駆動回路を制御するリーフスイッチ３１を一方側、すなわち、サブシャーシ１３の上昇状態で操作する操作ピン２６ｂが突設され、上面には、後述するディスクローディング機構を操作するローディングカム２６ｃとイジェクトピン２６ｄが突設されている。さらにこの操作カムギア２６にはディスクローディング機構の最初動作時に操作されるトリガー部材３２が所定範囲内で移動可能に取付けられて付勢部材３３により一方向へ弾性付勢させて取付られて、カムギア２６の回転によりリーフスイッチ３１に対応するようになっている。
【００３４】
このトリガー部材３２は、小ブロック状に形成されて、上面側にイジェクト部材の突当てピン３２ａが突設され、下面側にリーフスイッチ３１の操作ピン３２ｂが突設されており、このトリガー部材３２は操作カムギア２６に形成されたガイド溝２６ｅに移動可能に嵌挿されて付勢部材３３としての圧縮コイルスプリングにより一方向、すなわち、前述した操作ピン２６ｂから離間する方向に付勢させてある。
【００３５】
このように構成されてベースシャーシ１２に軸支されている操作カムギア２６を停電や故障等の非常時に手動により回転操作できるように、ベースシャーシ１２には手動操作部材３４が備えられている。この手動操作部材３４は、操作カムギア２６に噛み合う平歯車部３５ａとこの平歯車部３５ａと一体のかさ歯車部３５ｂから成る連動ギア３５をベースシャーシ１２に軸支し、また、この連動ギア３５のかさ歯車部３５ｂに噛み合うかさ歯車部３６ａを後端に取付け、先端に回転操作子３６ｂを取付けた操作軸３６をベースシャーシ１２に前後方向に摺動可能に軸支すると共に前端部側に、操作軸３６を常時、かさ歯車部３６ａが連動ギア３５のかさ歯車部３５ｂから離隔するように付勢する付勢部材３６ｃとしての圧縮コイルスプリングを介裝して構成されている。
【００３６】
また、ベースシャーシ１２の上面前端部の両側部には、ディスク受け部１２ｆ，１２ｇが一体に突設され、この上面１２ｆ1 ，１２ｇ1 は前述したフロントパネル２のディスク挿入スロット３の下面側３ｂの両側部の傾斜とほぼ等しい傾斜面に形成されて不織布等の摩擦抵抗の小さい柔軟なシート３７ａ，３７ｂが貼着されている。また、ベースシャーシ１２の上面後端部の両角部には、後述するトップシャーシの取付け脚部１２ｈ，１２ｉが突設されている。
【００３７】
（３−２）ディスクローディング機構
【００３８】
また、ディスクプレーヤ装置には、前述したディスク駆動、読取り機構１１に対応して、この機構１１に光ディスクＤを装填、排出するディスクローディング機構４１が備えられている。このディスクローディング機構４１はベースシャーシ１２の上面側に取付けられるトップシャーシ４２の内面側に配設されており、このトップシャーシ４２は板金により形成されている。なお、このトップシャーシ４２もベースシャーシ１２と同様にポリアセタール等の機械的強度が大のエンジニアリングプラスチックにより成形することができる。
【００３９】
このトップシャーシ４２は平面から見てベースシャーシ１２とほぼ同大の平板状で先端部からやや後方寄りの両側の内面側に断面Ｌ字状の支持部４２ａ，４２ｂが前述したベースシャーシ１２の取付け脚部１２ｈ，１２ｉとほぼ等しい高さで対向して形成されている。
【００４０】
このトップシャーシ４２の内面側に備えられるディスクローディング機構４１は、左右一対のクランプアーム（アーム）４３，４４とイジェクトアーム（ディスク排出アーム）４５とイジェクトレバー４６と、クランプアーム４３，４４を付勢する付勢部材４７とイジェクトレバー４６を付勢する付勢部材４８とを有している。
【００４１】
クランプアーム４３，４４は平面視略Ｌ字状で、一方のクランプアーム４３の前後方向の垂直辺部４３ａは、他方のクランプアーム４４の前後方向の垂直辺部４４ａより長尺に形成されて、後端部が前述した操作カムギア２６の上面側に対向されるようになっており、他方のクランプアーム４４の垂直辺部４４ａは、一方のクランプアーム４３の垂直辺部４３ａのほぼ半分の長さに形成されている。また、一方のクランプアーム４３の横方向の水平部４３ｂは、垂直辺部４３ａの前端より所要間隔の後方位置から直角方向に延設され、他方のクランプアーム４４の横方向の水平辺部４４ｂは垂直辺部４４ａの前端から直角方向に延設されている。
【００４２】
このクランプアーム４３と４４は、トップシャーシ４２の内面側に、水平辺部４３ｂと４４ｂが前後方向に所要間隔を於いて対向して互いに横方向に摺動可能に配されるもので、両クランプアーム４３，４４の垂直辺部４３ａ，４４ａの前端部には、内面側に前後方向に所要長さのガイド溝４９ａ，５０ａが形成されたディスククランパ（ディスク支持部材）４９，５０が互いに横方向に対向して取付けられている。この前端部側のディスククランパ（以下、前側クランパという）４９，５０のガイド溝４９ａ，５０ａの前後端部は、アール形状の前端ガイド部４９ａ1 ，５０ａ1と後端ガイド部４９ａ2 ，５０ａ2 として形成され、また、このガイド溝４９ａ，５０ａの上下面の縁部はテーパ面に形成されている。
【００４３】
また、クランプアーム４３，４４の垂直辺部４３ａ，４４ａの後部側、すなわち、一方のクランプアーム４３においては、ほぼ中間位置に、他方のクランプアーム４４においては後端部に円形ガイド溝５１ａ，５２ａが形成されたディスククランパ５１，５２がそれぞれ前述した前側クランパ４９，５０に対して光ディスクＤの直径より小の寸法の間隔を置いて取付けられており、この後部側のディスククランパ（以下、後側クランパという）５１，５２も円形ガイド溝５１ａ，５２ａの上下面の縁部はテーパ面に形成されている。
【００４４】
クランプアーム４３と４４の水平辺部４３ｂと４４ｂのほぼ中央部の互いに対向する縁部、すなわち、一方のクランプアーム４３の水平辺部４３ｂにおいては前縁部、他方のクランプアーム４４の水平辺部４４ｂにおいては後縁部にそれぞれラック部４３ｃ，４４ｃが形成されている。また、一方のクランプアーム４３の垂直辺部４３ａの前端部の内縁側と他方のクランプアーム４４の水平辺部４４ｂの先端部には、互いに対向する突当部４３ｄと４４ｄを折曲形成して他方のクランプアーム４４の突当部４４ｄには不織布等の緩衝片５３を貼着してあり、一方のクランプアーム４３の垂直辺部４３ａの後端には前述した操作カムギア２６のローディングカム２６ｃに当接する作動ピン４３ｅが突設され、他方のクランプアーム４４の垂直辺部４４ａの後端部には後側クランパ５２の前側に位置して係止爪片４４ｅが突出形成されている。
【００４５】
このように構成されるクランプアーム４３，４４は、トップシャーシ４２の内面側に垂直辺部４３ａ，４４ｂに形成された支持爪片４３ｆ，４４ｆと水平辺部４３ｂ，４４ｂの元部と先端部の突設された支持ピン４３ｇ，４４ｇをトップシャーシ４２に形成した横長のガイド係合孔４２ｃ，４２ｄと４２ｅ，４２ｆに嵌挿係合して、互いに対向して横方向に摺動可能に取付けられ、前後方向に所要間隔を置いて対向する水平辺部４３ｂ，４４ｂのラック部４３ｃ，４４ｃ間に、トップシャーシ４２に植設された軸ピン５４に軸支されたバランスギア５５としてのピニオンが噛み合わされている。このクランプアーム４３，４４は、前部間には付勢部材４７としての引張りコイルスプリングが張架されて、この付勢力により常時内側向に摺動付勢されて前述した突当部４３ｄと４４ｄが緩衝片５３を介して突当てられており、この状態で前側クランパ４９，５０は光ディスクＤの直径より狭い間隔で対向している。
【００４６】
また、ディスクイジェクト操作部材のイジェクトアーム４５は、先端部にディスク排出ピン５７が取付けられてトップシャーシ４２の内面側に、基端部において軸ピン５８により、ディスク排出ピン（ディスク当接部材）５７が、前述した他方のクランプアーム４４の後側クランパ５２に対して前後方向へ移動できるように回動可能に軸支されている。このイジェクトアーム４５は、前方への回動において、トップシャーシ４２の内面側に前述したクランプアーム４３，４４間に位置して取付けられるディスクチャッキング部材を逃げるように後方へ湾曲する形状に形成されており、ディスク排出ピン５７には、前述した後側クランパ５２の円形ガイド溝５２ａと同高さでディスクガイド溝５７ａが形成され、このディスクガイド溝５７ａも上下面の縁部はテーパ面に形成されている。
【００４７】
また、このイジェクトアーム４５の基端部側には、後述するイジェクトレバー４６の係合孔に係合する係合ピン５９が突設され、先端部寄りには、係合支持ピン６０が突設されて、トップシャーシ４２にイジェクトアーム４６の軸支部を中心として形成された円弧状ガイド孔４２ｇに嵌挿係合して、イジェクトアーム４５は安定して回動されるようになっている。このイジェクトアーム４５の回動による排出ピン５７の移動軌跡上に前述した他方のクランプアーム４４の係止爪片４４ｅが、このクランプアーム４４の内側への摺動状態において臨むようになっている。
【００４８】
また、ディスクイジェクト操作部材のイジェクトレバー４６は、後端部４６ａが前述した操作カムギア２６の上面側においてリーフスイッチ３１に対応され、前端部４６ｂが前後したイジェクトアーム４５と交差する長さに形成されている。このイジェクトレバー４６の後端部４６ａは、弾性を保有する傾斜面に形成されて後端縁が垂直面４６ａ1 に形成され、前端部４６ｂには、イジェクトアーム４５の係合ピン６０が係合される鉤形係合孔すなわち、横長孔部と前方向孔部とから成る係合孔４６ｃが形成されている。なお、イジェクトレバー４６は、ばね機能を持たせるため本例ではばね特性の良いステンレス薄鋼板（ＳＵＳ材）により形成されているが、他の弾性を保有する材質であればよく、また弾性部分の形状も限定されるものではない。このように形成されるイジェクトレバー４６は、係合孔４６ｃをイジェクトアーム４５の係合ピン６０に係合すると共に前端と後部寄りに突設された係合支持ピン６１と６２をトップシャーシ４２に形成された前後方向の直線状ガイド孔４２ｈと４２ｉに嵌挿係合することによりトップシャーシ４２に対して前後方向に摺動可能に支持されている。
【００４９】
このイジェクトレバー４６は、この内側縁のほぼ中央部とトップシャーシ４２の後部との間に付勢部材４８としての引張りコイルスプリングが張架されて、この付勢力により常時後方へ摺動付勢されている。
【００５０】
このイジェクトレバー４６を付勢する付勢部材４８の付勢力は前述した操作カムギア２６に備えられたトリガー部材３２の付勢部材３３の付勢力より小さくなっている。
【００５１】
また、トップシャーシ４２の内面側に前述したクランプアーム４３，４４間に位置して取付けられるチャッキング部材６３は、下面側中央部にマグネット６４を埋設したチャッキングプーリ６５を枠体６６の後半部に形成した円形開口６６ａに内面側から出没及び回転可能に嵌挿して構成されている。このチャッキング部材６３のチャッキングプーリ６５は上縁にはフランジ６５ａが形成され、下面側周縁部はテーパ面６５ｂに形成されている。
【００５２】
このチャッキング部材６３は、トップシャーシ４２の内面側の所定位置、すなわち、チャッキングプーリ６５がベースシャーシ１２側のターンテーブル１５と対向する位置に枠体６６において固定されている。この枠体６６の下面側の前半部に前方へ低くなる傾斜面６６ｂを形成して光ディスクＤが挿入、排出時に接触されないようになっている。
【００５３】
また、トップシャーシ４２の前端部内面側には、ディスクガイドローラ部材６７が備えられている。
このディスクガイドローラ部材６７はローラ軸６８に一対のガイドローラ６９，７０がディスク直径よりも若干小なる間隔で固定されており、このローラ軸６８をトップシャーシ４２に一対の付勢軸受部材７１，７２を介して取付けられている。
【００５４】
このディスクガイドローラ部材６７のガイドローラ６９，７０はゴム、弾性プラスチック材等の摩擦弾性材で形成されてローラ軸６８に嵌挿固定され、このローラ軸６８と一体的に回転されるようになっている。
【００５５】
また、このガイドローラ６９，７０を固定したローラ軸６８を軸支する付勢軸受部材７１，７２は、本例では、板ばねを略Ｌ字状に折曲し、垂直辺部に軸受孔を穿設して形成してあり、この軸受孔にローラ軸６８の端部を回転可能に挿通して水平辺部をトップシャーシ４２の外面側に表出させてその端部において固定することにより、ローラ軸６８を弾性的に支持するようになっている。
【００５６】
（３−３）ディスク挿入スロット閉塞機構
前述したフロントパネル２の内面側にはディスク挿入スロット３を光ディスクの挿入装填状態で閉塞するシャッター７３が備えられて、ディスクの誤挿入を防止すると共にディスクの装填有無状態を視認できるようになっている。
【００５７】
このシャッター７３は板状で、左右一対の同方向に傾斜する傾斜ガイド孔７４，７５が形成され、内面側のほぼ中央には係合ピン７６が内方に向けて水平に突出されている。このシャッター７３は本例においては板金により形成されているが、機械的強度が大のプラスチック材により形成してもよく、このシャッター７３の外面側はフロントパネル２の色彩と異なる色彩により着色してもよい。
【００５８】
このシャッター７３は、フロントパネル２の内面側に配して両傾斜ガイド孔７４，７５をフロントパネル２の内面側のディスク挿入スロット３の下側に突設された係合支持ピン７７，７８に係合し、この係合支持ピン７７，７８に対して両傾斜ガイド孔７４，７５が上端側において係合している状態でディスク挿入スロット３の下側に位置、すなわちディスク挿入スロット３を開放する部位に位置するようになっており、この状態を常時保持するように付勢部材７９としての引張りコイルスプリングにより付勢されている。
【００５９】
そして、このシャッター７３の係合ピン７６には、前述したベースシャーシ１２側のエレベータ部材２２と２３を連動するようにその前端部において連結するエレベータアーム２４の前部に垂直に突設された操作ピン８０がシャッター７３の付勢部材７９による付勢側から当接させてある。この構成により、エレベータ部材２２，２３が前述したサブシャーシ１３を下降させている状態から上昇させる動作におけるエレベータアーム２４の回転に伴い操作ピン８０がシャッター７３の係合ピン７６を押圧してシャッター７３を付勢部材７９の付勢力に抗して摺動させる。このシャッター７３は、傾斜ガイド孔７４，７５が係合支持ピン７７，７８に沿って摺動されることにより、摺動されながら上昇し、サブシャーシ１３が上限まで上昇された状態、すなわち、後述するディスクチャッキング状態になるとシャッター７３も上限まで上昇されてディスク挿入スロット３を閉塞する。この状態ではエレベータ部材２２，２３の動作が停止されてエレベータアーム２４も停止されることによりシャッター７３は閉塞状態で保持される。
【００６０】
また、この状態からエレベータ部材２２，２３がサブシャーシ１３を下降動作すると、エレベータアーム２４が逆回転されて操作ピン８０によるシャッター７３の係合ピン７６の押圧を解除することになって、シャッター７３は付勢部材７９の付勢力により前述の場合と逆に摺動しながら下降されてディスク挿入スロット３を開放することになる。
【００６１】
以上のように構成されるディスク駆動、読取り機構１１とディスクローディング機構４１とを合体する。すなわち、ディスク駆動、読取り機構１１のベースシャーシ１２上にディスクローディング機構４１のトップシャーシ４２をベースシャーシ１２側の取付け脚部１２ｈ，１２ｉとトップシャーシ４２側の支持部４２ａ，４２ｂを介して重ね合せて結合する。
【００６２】
これにより、トップシャーシ４２側の一方のクランプアーム４３の後端部とイジェクトレバー４６の後端部がベースシャーシ１２側の操作カムギア２６の上面側に対応されてクランプアーム４３の作動ピン４３ｅが操作カムギア２６のローディングカム２６ｃの軌跡上に臨むと共にイジェクトレバー４６の後端部４６ａの垂直面４６ａ1 がイジェクトピン２６ｅ及びトリガー部材３２の軌跡上に臨み、また、チャッキング部材６３のチャッキングプーリ６５がターンテーブル１５の上方に対応し、ディスクガイドローラ部材６７のガイドローラ６９，７０がベースシャーシ１２側のディスク受け部１２ｆ，１２ｇの上方に対応される。
【００６３】
このようにベースシャーシ１２とトップシャーシ４２を合体した状態で前述した外筐体１内に嵌合して固定し、この外筐体１の全面側開放部にフロントパネル２を嵌着することにより、このフロントパネル２のディスク挿入スロット３はベースシャーシ１２とトップシャーシ４２の前端間に対応され、この状態でシャッター７３に突設された係合ピン７６がベースシャーシ１２側のエレベータアーム２４に突設された操作ピン８０に係合される。
以上のようにして本例のディスクプレーヤ装置が構成される。
【００６４】
〔４〕ディスクプレーヤ装置の動作
以上のように構成されるディスクプレーヤ装置の動作を説明する。
【００６５】
（４−１）光ディスクのローディング初期状態
【００６６】
図１０に示すように、先の光ディスクの排出完了状態では、ディスクローディング機構４１の両クランプアーム４３，４４は付勢部材４７により内側へ付勢摺動されて前側クランパ４９，５０間及び後側クランパ５１，５２間は光ディスクＤの直径より小さい間隔になっている。またイジェクトアーム４５は前方へ回転されてディスク排出ピン５７が他方のクランプアーム４４の係止爪片４４ｅの前縁側に当接され、後方への回動が規制された状態になっている。
また、この状態ではイジェクトレバー４６の後端部４６ａの垂直面４６ａ1 の当接位置には、操作カムギア２６に摺動可能に取付けられ、付勢部材３３によって付勢されたトリガー部材３２の突当てピン３２ａが当接し、さらに、この状態のときトリガー部材３２の下面に突設された操作ピン３２ｂがリーフスイッチ３１を前方へ押して接点を接触させ、駆動回路にディスク排出が完了であることを知らせている。
【００６７】
（４−２）光ディスクローディング操作
【００６８】
この状態で図１に示すように、フロントパネル２のディスク挿入スロット３より光ディスクＤを挿入すると、光ディスクＤは図１０に示すように両クランプアーム４３，４４の前側クランパ４９，５０のガイド溝４９ａ，５０ａに当接する。さらに所要の力Ｆをもって光ディスクＤを挿入し続けると両クランプアーム４３，４４は前側クランパ４９，５０がディスク周縁部より受ける力により付勢部材４７の付勢力に抗してそれぞれ外方へ摺動させられて図１１に示す状態でクランプアーム４３，４４の移動量は最大になる。
【００６９】
このクランプアーム４３，４４の移動によって、他方のクランプアーム４４の係止爪片４４ｅがイジェクトアーム４５のディスク排出ピン５７から外方へ離れ、後方への回動が規制しない状態となるが、このイジェクトアーム４５と係合されているイジェクトレバー４６を付勢している付勢部材４８の付勢力よりもトリガー部材３２を付勢している付勢部材３３の付勢力を大きく設定されているため、イジェクトレバー４６は後方への移動トリガー部材３２により規制されて、イジェクトアーム４５も後方への回動が阻止される。
【００７０】
しかしながら、さらに光ディスクＤに挿入力Ｆが加わると、図１２に示すように光ディスクＤはディスク排出ピン５７に当接する位置まで移動される。この状態でイジェクトアーム４５には付勢部材４８の付勢力に加え、両クランプアーム４３，４４を付勢している付勢部材４７の付勢力によって光ディスクＤが装置内部へ引込まれようとする力がディスク排出ピン５７からイジェクトアーム４５を介して加わるようになる。この総合力はトリガー部材３２を付勢している付勢部材３３の付勢力より大きくなり、トリガー部材３２は移動されて図１３の状態となる。
【００７１】
このとき、トリガー部材３２下面の操作ピン３２ｂは、検出スイッチであるリーフスイッチ３１の接点の接触状態を解除し、これによりリーフスイッチ３１が第１の状態とされ、駆動回路は光ディスクＤが装置内に挿入されていることを検出し、操作モータ２７への電力供給を開始して操作カムギア２６を図５の矢印方向に回転させ始める。このようにして光ディスクＤのチャッキング動作が開始されて、光ディスクＤのローディングが行われる。
【００７２】
この動作において、光ディスクＤは、両クランプアーム４３，４４の後側クランパ５１，５２のガイド溝５１ａ，５２ａにも当接して支持されて図１４に示すようにディスクチャッキング位置への移動を完了しており、ディスク排出ピン５７はイジェクトアーム４５の後方への回転により光ディスクＤと干渉しないディスク周縁部外位置への移動を完了している。
【００７３】
この動作、すなわち、光ディスクＤが挿入されてディスク排出ピン５７に当接して支持された状態から後側クランパ５１，５２に当接支持されるように移行する動作においては、ディスク駆動、読取り機構１１側の一方のエレベータ部材２２の上面側に突設された支持突部２２ｅが光ディスクＤの周縁部を下側から支持して後側クランパ５１，５２側へ移行させる。これにより、光ディスクＤは挿入時にディスク排出ピン５７に当接されない場合でも、後側クランパ５１，５２側へ確実に安定して移行されることになる。
【００７４】
このようにして、図１４の動作状態から図１５の動作に到るが、操作カムギア２６の回転により、このカムギア２６の上面の後述のように動作するイジェクトピン２６ｄがイジェクトレバー４６の後端部４６ａの下側に入り込むが、図２９に示すようにイジェクトピン２６ｄがイジェクトレバー４６の弾性を保有する傾斜後端部４６ａを上方に持ち上げ、垂直面４６ａ1 の対向位置へとイジェクトレバー４６を動作させることなく移動される。
【００７５】
（４−３）光ディスクのチャッキング
【００７６】
図１５から図１６に至る動作において、光ディスクＤのチャッキング動作が行われる。
【００７７】
図１５に示す動作状態では、ディスク駆動、読取り機構１１のベースシャーシ１２上においては、図２５の状態であって、操作カムギア２６の下面側のカム溝２６ａに係合された係合ピン２２ｄによって一方のエレベータ部材２２が後方へ摺動されて、この一方のエレベータ部材２２の摺動と連動して他方のエレベータ部材２３がエレベータアーム２４を介して前方へ摺動される。この一方のエレベータ部材２２の後方への摺動により支持突部２２ｅは光ディスクＤの周縁から離間される。このエレベータ部材２２，２３の摺動により図２７に示すようにサブシャーシ１３が、そのボス１３ｃ1 ，１３ｃ2 ，１３ｄ1 ，１３ｄ2 とエレベータ部材２２，２３側の傾斜ガイド孔２２ａ1 ，２２ａ2 ，２３ａ1 ，２３ａ2 との係合により上昇動作を開始する。
【００７８】
そして、図２３に示す状態を経て図２４及び図２６に示す状態に移行されて、サブシャーシ１３に搭載されているターンテーブル１５のディスク載置面の高さと、トップシャーシ４２に取付けられたチャッキング部材６３の下面側の高さと等しくなり、光ディスク上面側に位置するチャッキングプーリ６５に埋設されたマグネット６４の吸引力によって光ディスクＤをターンテーブル１５上にチャッキングする。
【００７９】
このチャッキングが完了した図２４すなわち、図１６に示す状態により、一方のクランプアーム４３の後端部の作動ピン４３ｅが操作カムギア２６のローディングカム２６ｃに当接し始める。この操作カムギア２６の回転により一方のクランプアーム４３は付勢部材４７の付勢力に抗して外方へ摺動され、またバランスギア５５を介して他方のクランプアーム４４も、一方のクランプアーム４３と等しい移動量で外方に移動する。そして、図１７に示す状態でクランプアーム４３，４４の移動量は最大となり、この当状態において前後側のディスククランパ４９，５０，５１，５２は光ディスクＤと干渉しない位置まで離間しているので、光ディスクＤはターンテーブル１５のスピンドルモータ１８の駆動力により回転が可能である。さらに、この状態では、操作カムギア２６の下面に突設された操作ピン２６ｂがリーフスイッチ３１を後方に押圧し、前述したディスク排出完了状態とは反対側の接点を接触させて駆動回路にディスク装着を完了したことを知らせる。
そして、この状態で光学ピックアップ装置１４により光ディスクＤの読取りが行われる。
【００８０】
（４−４）光ディスクのイジェクト操作
【００８１】
光ディスクＤの読取り終了後の光ディスクＤの排出は次のように行われる。
【００８２】
イジェクトボタン４等の操作により駆動回路にディスク排出の命令が指示されると、操作カムギア２６が図１７に示す状態によりディスクローディング時とは逆の回転を始め図１６の状態を経て図１５の状態になる。この図１５の状態では前後側クランパ４９，５０，５１，５２は光ディスクＤに当接し、光学ピックアップ装置１４及びターンテーブル１５が搭載されたサブシャーシ１３は、前述した動作と逆動作により下降されている。
【００８３】
この状態から操作カムギア２６がさらに反対方向に回転すると操作カムギア２６上のイジェクトピン２６ｄがイジェクトレバー４６の後端垂直面４６ａ1 に当接し、このイジェクトレバー４６を付勢部材４８の付勢力に抗してディスク排出方向（前方）に摺動させる。このイジェクトレバー４６の前方への摺動により、イジェクトアーム４５を前方へ回転させ、ディスク排出ピン５７が光ディスクＤに当接して光ディスクＤを前方、すなわち、ディスク排出方向に移動させる。
【００８４】
この光ディスクＤの移動に伴い両クランプアーム４３，４４も、付勢部材４７の付勢力に抗しながら外方へ摺動しつつ、前側クランパ４９，５０のガイド溝４９ａ，５０ａは光ディスクＤの周縁部を案内している。
【００８５】
また、操作カムギア２６上のイジェクトピン２６ｄはイジェクトレバー４６を押圧し前方への摺動させ続け、図１９の状態を経て図２０にて光ディスクＤは最大排出状態となる。このときの光ディスクＤの最大排出位置は、使用者の利便性を考慮して装置外部に光ディスクＤのチャッキング孔ｄが完全に露出する位置に設定している。
【００８６】
図２０に示す状態からさらに操作カムギア２６が回転すると、図２１に示すように操作カムギア２６上のインジェクトピン２６ｄはインジェクトレバー４６の後端垂直面４６ａ１から離間する。これにより、インジェクトレバー４６は付勢部材４８の付勢力により後方へ摺動し、そのためインジェクトアーム４５も後方へ回転してディスク排出ピン５７が他方のクランプアーム４４の係止爪片４４ｅの前縁側に当接して停止する。さらに、操作カムギア２６は回転し、図１０の状態となったところで前述のようにトリガー部材３２の下面の操作ピン３２ｂがリーフスイッチ３１を前方へ押圧して接点を接触させ、そのリーフスイッチ３１を第１の状態から第２の状態へ切り換え、駆動回路にディスク排出が完了したことを知らせる。これにより、光ディスクＤのアンローディングが行われ、光ディスクＤがフロントパネル２のディスク挿入スロット３から排出される。
【００８７】
以上本発明の実施の形態例を説明したが本発明はこの例に限定されるものではなく、本発明の趣旨を逸脱しない範囲で各部材構成形状等を変更できるものである。
例えば、光学ピックアップ装置及びターンテーブル等を搭載するシャーシとこれを昇降するエレベータ機構との係合関係は、エレベータ機構側にボスを設け、シャーシ側に傾斜ガイド孔又は溝を形成して係合するようにしてもよい。
また、このシャーシはベースシャーシに対して上下方向に回動可能に支持して、回動動作によりディスクチャッキングを行うようにしてもよい。
また、ディスクローディング機構のクランプアーム等の構成形状も装置に適合するように変更できるものである。
また、本発明は光ディスクに限ることなく他のディスク装置記録媒体の記録再生装置に適用できるものである。
【００８８】
【発明の効果】
以上のように本発明によるディスク装置によれば、ディスクローディングをトレー等を用いることなく行えるため、装置の姿勢を限定することなく、またトレーの突出する空間を常に確保するような気遣いも不要となるので、特にコンピュータに搭載され使用される場合においても使用者に不便を感じさせることが無い。また、ローラーを用いない為、厳しい部品品質管理も不要となり耐久性・信頼性が向上する。
そして本発明のディスク装置は、ディスクのローディング時には、アームとディスク排出アームとによってディスクが支持されて、移動されるとともに、ディスク排出アームの回動によって、ディスクのチャッキング動作を開始させる第１の状態とされている検出スイッチが作動し、ディスクのチャッキング動作が開始されて、ディスクのローディングが行われ、ディスクのアンローディング時には、ディスク排出アームとアームとによってディスクが支持されて、ディスクが装置本体から排出されることにより検出スイッチが第２の状態とされてディスクのアンローディングが行われることを特有の構成とし、この構成は、安価で簡潔な構成で確実なディスクの挿入・排出動作を行うディスク装置を提供することができるという格別の効果を奏するものである。
【図面の簡単な説明】
【図１】本発明によるディスク記録再生装置の一例の外観斜視図である。
【図２】図１に示す装置のディスク駆動、読取り機構部の一例の斜視図である。
【図３】図１に示す装置のディスクローディング機構部の一例の斜視図である。
【図４】図１に示す装置のフロントパネルの内面側斜視図である。
【図５】図２と図３に示す機構部を合体した状態の斜視図である。
【図６】図５に示す合体機構部の一部断面にした側面図である。
【図７】図２に示すディスク駆動、読取り機構部に備えられるエレベータ部材の斜視図である。
【図８】フロントパネルのシャッターとエレベータ部材との係合状態を示す縦断面図である。
【図９】フロントパネルのシャッターとエレベータ部材との係合状態を示す平面図である。
【図１０】ディスクローディング機構部の初期状態を示す平面図である。
【図１１】ディスクローディング機構部において光ディスクの挿入操作が開始された状態を示す平面図である。
【図１２】ディスクローディング機構部における光ディスクの挿入操作の途中の状態を示す平面図である。
【図１３】ディスクローディング機構部において光ディスクが挿入操作されたディスクイジェクトアームに対する操作が開始された状態を示す平面図である。
【図１４】ディスクローディング機構において光ディスクがチャッキング位置に移動された状態を示す平面図である。
【図１５】ディスクローディング機構部において光ディスクのチャッキング動作が行われている状態を示す平面図である。
【図１６】ディスクローディング機構部において光ディスクのチャッキング動作が行われている状態を示す平面図である。
【図１７】ディスクローディング機構部において光ディスクの排出操作が開始された状態を示す平面図である。
【図１８】ディスクローディング機構部においてディスク排出アームが光ディスクの排出を開始した状態を示す平面図である。
【図１９】ディスクローディング機構部においてディスク排出アームが光ディスクを排出している途中の状態を示す平面図である。
【図２０】ディスクローディング機構部においてディスク排出アームが光ディスクを排出している途中の状態を示す平面図である。
【図２１】上記ディスクローディング機構においてディスク排出アームが光ディスクの排出を完了した状態を示す平面図である。
【図２２】ディスク駆動、読取り機構部において光ディスクのチャッキング動作が行われている状態の平面図である。
【図２３】ディスク駆動、読取り機構部において光ディスクのチャッキング動作が行われている状態の平面図である。
【図２４】ディスク駆動、読取り部において光ディスクのチャッキング動作が完了した状態の平面図である。
【図２５】ディスク駆動、読取り機構部とディスクローディング機構部との光ディスクのチャッキング動作状態の断面図である。
【図２６】ディスク駆動、読取り部との光ディスクのチャッキング完了状態の断面図である。
【図２７】エレベータ部材と操作カムギアとの関連動作を説明する側面図である。
【図２８】操作カムギアのトリガー部材とイジェクトレバーとの関連動作を説明する一部截断した側面図である。
【図２９】操作カムギアとイジェクトレバーとの関連動作を説明する側面図である。
【符号の説明】
１  外筐体、２  フロントパネル、３  ディスク挿入スロット、１１  ディスク駆動読取り機構、１２  ベースシャーシ、１３  サブシャーシ、１４  光学ピックアップ装置、１５  ターンテーブル、２２，２３  エレベータ部材、２５  操作駆動機構、２６  操作カムギア、３１  リーフスイッチ、３２  トリガー部材、３３  付勢部材、４１  ディスクローディング機構、４３，４４  クランプアーム、４５  イジェクトアーム、４６  イジェクトレバー、４７，４８  付勢部材、４９，５０，５１，５２  ディスククランパ、５７  ディスク排出ピン、６７  ディスクガイドローラ部材、７３  シャッター
【図１】
0004339416.tif 000002
【図２】
0004339416.tif 000003
【図３】
0004339416.tif 000004
【図４】
0004339416.tif 000005
【図５】
0004339416.tif 000006
【図６】
0004339416.tif 000007
【図７】
0004339416.tif 000008
【図８】
0004339416.tif 000009
【図９】
0004339416.tif 000010
【図１０】
0004339416.tif 000011
【図１１】
0004339416.tif 000012
【図１２】
0004339416.tif 000013
【図１３】
0004339416.tif 000014
【図１４】
0004339416.tif 000015
【図１５】
0004339416.tif 000016
【図１６】
0004339416.tif 000017
【図１７】
0004339416.tif 000018
【図１８】
0004339416.tif 000019
【図１９】
0004339416.tif 000020
【図２０】
0004339416.tif 000021
【図２１】
0004339416.tif 000022
【図２２】
0004339416.tif 000023
【図２３】
0004339416.tif 000024
【図２４】
0004339416.tif 000025
【図２５】
0004339416.tif 000026
【図２６】
0004339416.tif 000027
【図２７】
0004339416.tif 000028
【図２８】
0004339416.tif 000029
【図２９】
0004339416.tif 000030